(57)【要約】【課題】大幅な省エネルギーを図る。【解決手段】還気ファン３をバイパスするバイパス通路１５を設ける。バイパス通路１５にバイパスダンパ１６を設ける。制御装置４Ｃにおいて、被空調空間２における負荷状態より定められる要求風量が５０％以下となった場合、還気ファン３を停止し、給気ファン３のみの単独運転とする。また、バイパスダンパ１６を開き、還気ファン３を通過する空気をバイパス通路１５に迂回させる。また、外気ダンパ１１の開度を１５％、排気ダンパ１２の開度を０％、還気ダンパ１３の開度を１００％とする。【選択図】  図９
2010091180.tif 000002
【特許請求の範囲】
【請求項１】
被空調空間への調和空気の供給通路に設けられた給気ファンと、前記被空調空間からの空気の排出通路に設けられた還気ファンと、前記調和空気の生成部への外気の取入通路に設けられた外気ダンパと、前記還気ファンから排出される空気の一部を還気として前記調和空気の生成部に戻す還流通路に設けられた還気ダンパと、前記還気ファンから排出される残りの空気を外気へ排出する排出通路に設けられた排気ダンパとを備え、前記被空調空間における負荷状態より定められる要求風量に応じて前記給気ファンと前記還気ファンの回転数を連動して制御する空調制御方法において、
前記要求風量が予め定められた所定の風量よりも小さい低風量運転時、前記還気ファンの運転を停止し、前記給気ファンのみの運転とする給気ファン単独運転ステップ
を備えることを特徴とする空調制御方法。
【請求項２】
請求項１に記載された空調制御方法において、
前記給気ファンのみの運転とされた場合、前記排気ダンパを全閉へ、前記還気ダンパを開方向へ、前記外気ダンパを閉方向へ制御するダンパ開度制御ステップ
を備えることを特徴とする空調制御方法。
【請求項３】
請求項１に記載された空調制御方法において、
前記還気ファンをバイパスするバイパス通路と、このバイパス通路に設けられたバイパスダンパとを備え、
前記給気ファンのみの運転とされた場合、前記バイパスダンパを開き、前記還気ファンを通過する空気を前記バイパス通路に迂回させるバイパスダンパ制御ステップ
を備えることを特徴とする空調制御方法。
【請求項４】
請求項１〜３の何れか１項に記載された空調制御方法において、
前記被空調空間における室圧および空気質の少なくとも一方を室内値としてモニタする室内値モニタステップ
を備えることを特徴とする空調制御方法。
【請求項５】
請求項４に記載された空調制御方法において、
前記給気ファンのみの運転時、前記室内値が予め定められた規定の範囲より逸脱した場合、前記給気ファンと前記還気ファンとの連動運転に戻す給気ファン単独運転解除ステップ
を備えることを特徴とする空調制御方法。
【請求項６】
被空調空間への調和空気の供給通路に設けられた給気ファンと、前記被空調空間からの空気の排出通路に設けられた還気ファンと、前記調和空気の生成部への外気の取入通路に設けられた外気ダンパと、前記還気ファンから排出される空気の一部を還気として前記調和空気の生成部に戻す還流通路に設けられた還気ダンパと、前記還気ファンから排出される残りの空気を外気へ排出する排出通路に設けられた排気ダンパとを備え、前記被空調空間における負荷状態より定められる要求風量に応じて前記給気ファンと前記還気ファンの回転数を連動して制御する空調制御システムにおいて、
前記要求風量が予め定められた所定の風量よりも小さい低風量運転時、前記還気ファンの運転を停止し、前記給気ファンのみの運転とする給気ファン単独運転手段
を備えることを特徴とする空調制御システム。
【請求項７】
請求項６に記載された空調制御システムにおいて、
前記給気ファンのみの運転とされた場合、前記排気ダンパを全閉へ、前記還気ダンパを開方向へ、前記外気ダンパを閉方向へ制御するダンパ開度制御手段
を備えることを特徴とする空調制御システム。
【請求項８】
請求項６に記載された空調制御システムにおいて、
前記還気ファンをバイパスするバイパス通路と、
このバイパス通路に設けられたバイパスダンパと、
前記給気ファンのみの運転とされた場合、前記バイパスダンパを開き、前記還気ファンを通過する空気を前記バイパス通路に迂回させるバイパスダンパ制御手段と
を備えることを特徴とする空調制御システム。
【請求項９】
請求項６〜８の何れか１項に記載された空調制御システムにおいて、
前記被空調空間における室圧および空気質の少なくとも一方を室内値としてモニタする室内値モニタ手段
を備えることを特徴とする空調制御システム。
【請求項１０】
請求項９に記載された空調制御システムにおいて、
前記給気ファンのみの運転時、前記室内値が予め定められた規定の範囲より逸脱した場合、前記給気ファンと前記還気ファンとの連動運転に戻す給気ファン単独運転解除手段
を備えることを特徴とする空調制御システム。
【発明の詳細な説明】
【技術分野】
【０００１】
この発明は、被空調空間における負荷状態より定められる要求風量に応じて給気ファンおよび還気ファンの回転数を制御する空調制御方法および空調制御システムに関するものである。
【背景技術】
【０００２】
従来より、空調制御システムにおいては、空調機内で熱交換（冷房／暖房）や加湿が行われ、室内に調和された空気が搬送される。この調和空気の搬送はファンによって行われる。
【０００３】
個室や狭い空間であれば、大きな風量や静圧は必要なく、ファン１台の構成でも十分である。例えば、エアコンでは空気の搬送をファン１台で賄っている。一方、大部屋や大空間では、大きな風量や静圧が必要な上に、外気や排気の確保も必要なことから、給気と還気に１台ずつの計２台のファンが設置されるのが一般的である（例えば、特許文献１参照）。
【０００４】
給気ファンと還気ファンを用いた空調制御システムの代表的な構成例を図１２に示す。同図において、１は空調機、２は空調機１からの調和空気が供給される被空調空間、３は被空調空間２からの空気の排出通路Ｌ３に設けられた還気ファン、４はこの空調制御システムにおける全体の動作を制御する制御装置である。
【０００５】
空調機１には、給気ファン５、温水コイル６、冷水コイル７が設けられている。また、温水コイル６の温水ＨＷの供給通路には温水バルブ８が、冷水コイル７への冷水ＣＷの供給通路には冷水バルブ９が設けられている。
【０００６】
被空調空間２には温度センサ１０が設けられており、空調機１への外気ＯＡの取入通路Ｌ１には外気ダンパ１１が設けられ、被空調空間２からの外気への排気ＥＸの排出通路Ｌ５には排気ダンパ１２が設けられている。また、還気ファン３から排出される空気の一部が還気ＲＡとして空調機１へ戻されるようになっており、空調機１への還気ＲＡの還流通路Ｌ４には還気ダンパ１３が設けられている。
【０００７】
なお、空調機１において、温水コイル６および冷水コイル７は調和空気の生成部をなし、この調和空気の生成部からの被空調空間２への調和空気の供給通路Ｌ２に給気ファン５が設けられている。また、被空調空間２への調和空気の供給通路Ｌ２には、被空調空間２への給気ＳＡの温度を給気温度として検出する給気温度センサ１４が設けられている。また、給気ファン５と還気ファン３には、回転数調整用のインバータ（ＩＮＶ）が付設されている。
【０００８】
制御装置４は、温度センサ１０からの被空調空間２における計測温度（室内温度）ｔｐｖを入力とし、室内温度ｔｐｖが設定温度ｔｓｐに合致するように、ファン（給気ファン５／還気ファン３）の回転数やバルブ（温水バルブ８／冷水バルブ９）の開度を制御する。
【０００９】
例えば、冷房時、制御装置４は、室内温度ｔｐｖが設定温度ｔｓｐを超えると、冷水バルブ９を開いて給気温度を下げたり、給気ファン５および還気ファン３の回転数を上げて給気風量を増やすといった動作を行う。図１２にはその時の圧力の正負分布を併記している。室内と屋外とはほぼ大気圧と等しい状態となる。そのため、給気ファン５は室内（≒大気圧）に空気を送るために、ファン突出圧を大きく正圧に保つ必要がある。還気ファン３は、室内（≒大気圧）からの空気を吸引した上で、再循環と屋外（≒大気圧）排気を行う。したがって、還気ファン３の入口は負圧となり、出口は正圧となる。
【００１０】
室内側からみると、給気ファン５は室内に空気を押し込み送風するのに対して、還気ファン３は室内から空気を吸引し送風する。押し込みと吸引のパワーは常に同レベルであることが望ましいために、通常のファン運転では、給気ファン５と還気ファン３を同期をとって、回転数制御する。この場合、給気ファン５と還気ファン３の回転数を連動して制御し、給気ファン５と還気ファン３の回転数を同じとしたり、屋外空気が室内に流入しないようにするために、還気ファン３に対して給気ファン５の回転数を増加させた一定差の回転数とする。
【００１１】
図１３に給気ファン５と還気ファン３の回転数制御の一例を示す。この例では、給気ファン５と還気ファン３とを連動させて、同じ回転数として制御する。すなわち、被空調空間２における負荷状態より定められる要求風量に応じ、要求風量が１００％であれば、給気ファン５および還気ファン３の回転数を１００％とする。要求風量が４０％であれば、給気ファン５および還気ファン３の回転数を４０％とする。
【００１２】
なお、上述において、要求風量１００％とは、給気ファン５および還気ファン３の定格風量を意味し、回転数１００％とは、給気ファン５および還気ファン３の定格回転数を意味する。
【００１３】
【特許文献１】特開平０５−１８０５０１号公報
【発明の開示】
【発明が解決しようとする課題】
【００１４】
しかしながら、上述した空調制御システムでは、給気ファン５と還気ファン３の回転数を常に連動して制御するようにしているため、以下に説明するような問題があった。
【００１５】
上述した空調制御システムでは、被空調空間２における負荷が小さい場合、被空調空間２への給気風量を絞って省エネルギーを図る。この時、給気ファン５および還気ファン３の両方の回転数を下げるが、ファン自体の風量／圧力レンジアビリティが狭く、低回転時のサージング現象、インバータからの高周波ノイズの発生などから、給気ファン５および還気ファン３の回転数を定格回転数の４０％以下にすることができない。なお、サージング現象が生じると、激しい流れ振動を起こし、羽根車の破損につながる虞がある。このため、図１３に示した制御例のように、被空調空間２への給気風量を４０％までしか絞ることができず、大幅な省エネルギーを図ることができなかった。
【００１６】
本発明は、このような課題を解決するためになされたもので、その目的とするところは、大幅な省エネルギーを図ることができる空調制御方法および空調制御システムを提供することにある。
【課題を解決するための手段】
【００１７】
このような目的を達成するために本発明は、被空調空間への調和空気の供給通路に設けられた給気ファンと、被空調空間からの空気の排出通路に設けられた還気ファンと、調和空気の生成部への外気の取入通路に設けられた外気ダンパと、還気ファンから排出される空気の一部を還気として調和空気の生成部に戻す還流通路に設けられた還気ダンパと、還気ファンから排出される残りの空気を外気へ排出する排出通路に設けられた排気ダンパとを備え、被空調空間における負荷状態より定められる要求風量に応じて給気ファンと還気ファンの回転数を連動して制御する空調制御方法において、要求風量が予め定められた所定の風量よりも小さい低風量運転時、還気ファンの運転を停止し、給気ファンのみの運転とする給気ファン単独運転ステップを設けたものである。
【００１８】
この発明によれば、例えば、予め定められた所定の風量を５０％とした場合、要求風量が５０％よりも小さくなると、還気ファンの運転が停止され、給気ファンのみの単独運転とされる。この場合、要求風量の５０％を確保するために、給気ファンの回転数がアップする。以降、この回転数をアップさせた状態から、要求風量の減少に応じ、給気ファンの回転数が低下して行く。これにより、例えば、図４に示すように、給気ファンの回転数を定格回転数の４０％までしか下げることができなくても、被空調空間への給気風量を２０％まで絞ることが可能となり、還気ファンの停止と合わせて、大幅な省エネルギーを図ることができるようになる。
【００１９】
本発明において、要求風量が予め定められた所定の風量よりも小さい低風量運転時、還気ファンの運転を停止すると、還気ファンの出口が負圧となるため、排気ダンパからの逆流が生じる。また、還気が流れにくくなり、外気が取り入れ易くなる。このエアバランスの悪化に対しては、排気ダンパを全閉へ、還気ダンパを開方向へ、外気ダンパを閉方向へ制御することによって対処することが可能である。
【００２０】
例えば、給気ファンと還気ファンとの連動運転の状態において、外気ダンパおよび排気ダンパの開度が３０％、還気ダンパの開度が７０％であったとする。このような状態から、給気ファンのみの単独運転とする場合、排気ダンパの開度を０％とし、外気ダンパをより絞り気味に、還気ダンパをより開き気味にする。例えば、外気ダンパの開度を１５％とし、還気ダンパの開度を１００％とする。これにより、排気ダンパからの逆流が生じず、還気が流れ易くなり、外気が取り入れにくくなり、エアバランスの悪化を是正することができる。
【００２１】
本発明において、要求風量が予め定められた所定の風量よりも小さい低風量運転時、還気ファンの運転を停止すると、還気ファン自体が空気流路となるために、還気ファンの装置抵抗が圧力損失を招き、還気が流れにくくなる。これに対しては、還気ファンをバイパスするバイパス通路を設け、このバイパス通路にバイパスダンパを設け、給気ファンのみの運転とされた場合、バイパスダンパを開き、還気ファンを通過する空気をバイパス通路に迂回させるようにすることによって対処することが可能である。これにより、還気ファンでの圧力損失がなくなり、還気が流れ易くなる。
【００２２】
本発明において、要求風量が予め定められた所定の風量よりも小さい低風量運転時、還気ファンの運転を停止すると、被空調空間におけるエアバランスが悪化することがある。例えば、被空調空間における室圧が上昇したり、ＣＯ2 濃度が上昇したりすることがある。これに対しては、被空調空間における室圧および空気質の少なくとも一方を室内値としてモニタするようにすることによって対処することが可能である。例えば、室圧やＣＯ2 濃度の許容値を決めておき、許容値を超えたら警報を出すようにしたり、給気ファンと還気ファンとの連動運転に戻すようにしたりする。
【００２３】
また、本発明は、空調制御方法としてではなく、空調制御システムとしても実現することが可能である。本願の請求項６，７，８，９，１０の発明は、請求項１，２，３，４，５の空調制御方法を適用した空調制御システムに関するものである。
【発明の効果】
【００２４】
本発明によれば、要求風量が予め定められた所定の風量よりも小さい低風量運転時、還気ファンの運転を停止し、給気ファンのみの運転とするようにしたので、例えば、給気ファンの回転数を定格回転数の４０％以下にすることができなくても、被空調空間への給気風量を２０％まで絞るなどとすることが可能となり、還気ファンの停止と合わせて、大幅な省エネルギーを図ることができる。
【発明を実施するための最良の形態】
【００２５】
以下、本発明に係る空調制御方法および空調制御システムを図面に基づいて詳細に説明する。
〔実施の形態１〕
図１は本発明に係る空調制御方法の実施に用いる空調制御システムの一例（実施の形態１）を示す計装図である。同図において、図１２と同一符号は図１２を参照して説明した構成要素と同一或いは同等構成要素を示し、その説明は省略する。
【００２６】
この実施の形態１において、制御装置４Ａは、プロセッサや記憶装置からなるハードウェアと、これらのハードウェアと協働して制御装置としての各種機能を実現させるプログラムとによって実現され、本実施の形態特有の機能として給気ファン単独運転機能を有している。
【００２７】
以下、図３に示すフローチャートに従って、制御装置４Ａが有する給気ファン単独運転機能について説明する。このフローチャートに従う処理動作は定周期で行われる。
【００２８】
制御装置４Ａは、温度センサ１０からの被空調空間２における室内温度ｔｐｖを取り込み（ステップＳ１０１）、この取り込んだ室内温度ｔｐｖと設定温度ｔｓｐとの差から被空調空間２における負荷状態を求める（ステップＳ１０２）。
【００２９】
そして、制御装置４Ａは、この求めた被空調空間２における負荷状態と現在の給気温度ｔｓｐｖとから、その負荷状態を賄い得る被空調空間２への空調機１からの給気量を要求風量として求める（ステップＳ１０３）。
【００３０】
ここで、要求風量が５０％を超えていれば（ステップＳ１０４のＮＯ）、制御装置４Ａは、給気ファン５と還気ファン３との連動運転とし（ステップＳ１０５）、給気ファン５および還気ファン３の回転数を連動して制御する。例えば、要求風量が１００％であれば、給気ファン５および還気ファン３の回転数を１００％とする。
【００３１】
なお、給気ファン５と還気ファン３の回転数を一定差の回転数（給気ファン回転数＞還気ファン回転数）とすることもあるが、ここでは給気ファン５と還気ファン３の回転数を同じとする。
【００３２】
これに対して、要求風量が５０％以下となると（ステップＳ１０４のＹＥＳ）、制御装置４Ａは、還気ファン３の運転を停止し、給気ファン５のみの運転とする（ステップＳ１０６：図２参照）。すなわち、要求風量が５０％以下となった場合、これを低風量運転時と判断し、還気ファン３の運転を停止し、給気ファン５のみの単独運転とする。
【００３３】
この場合、制御装置４Ａは、要求風量の５０％を確保するために、給気ファン５の回転数をアップさせる。図４にこの時の給気ファン５と還気ファン３の回転数制御の一例を示す。この図からも分かるように、制御装置４Ａは、要求風量が１００％〜５０％までの間は給気ファン５と還気ファン３を同一回転数で連動運転させるが、要求風量が５０％以下となると、給気ファン５のみの単独運転とし、要求風量の５０％を確保するために、給気ファン５の回転数をアップさせる。
【００３４】
以降、この回転数をアップさせた状態から、要求風量の減少に応じ、給気ファン５の回転数を低下させて行く。これにより、図４に示すように、給気ファン５の回転数を定格回転数の４０％までしか下げることができなくても、被空調空間２への給気風量を２０％まで絞ることが可能となり、還気ファン３の停止と合わせて、大幅な省エネルギーを図ることができるようになる。
【００３５】
この実施の形態１において、給気ファン５のみの単独運転時、要求風量が大きくなると、給気ファン５の回転数をアップするだけではその要求風量を賄いきれなくなるので、還気ファン３を起動させる必要がある。但し、還気ファン３の起動／停止を頻繁に行うと、ノイズが出たり、風量や温度制御が不安定になる。これに対しては、単独運転／連動運転の切替時、ディファレンスやタイマを設けるなどの急変防止策をとることによって対処する。
【００３６】
また、この実施の形態１において、単独運転／連動運転の切替をどの時点で行うかも重要である。上述した例では、要求風量が５０％となった時点を単独運転／連動運転の切替ポイントとしたが、この単独運転／連動運転の切替ポイントは要求風量が５０％になった時点に限られるものではない。
【００３７】
図１の運転構成を近似すると、給気ファン５と還気ファン３は還気経路に対して直列に接続されているので、給気ファン５と還気ファン３との連動運転は直列運転とみなすことができる。給気ファン５と還気ファン３との連動運転時のファン特性を図５に示す。
【００３８】
図５に実線で示した特性Ｉは給気ファン５および還気ファン３のファン風量とファン静圧との関係を示す単独特性、同じく実線で示した特性IIは給気ファン５および還気ファン３のファン風量と軸動力との関係を示す単独特性、図５に点線で示した特性IIIは給気ファン５および還気ファン３の直列運転時のファン風量とファン静圧との関係を示す合成特性、同じく点線で示した特性IVは給気ファン５および還気ファン３の直列運転時のファン風量と軸動力との関係を示す合成特性である。
【００３９】
なお、ファンの性能曲線はメーカから公表されることが多いし、一般的なものであれば公の便覧などにも掲載されている。さらに、ファン法則という関係式も多くの専門書で紹介されている。例えば、ファン風量∝ファン回転数、ファン静圧∝（ファン回転数）2、ファン軸動力∝（ファン回転数）3というもので、このような関係を使えば、条件が異なる場合の運転点（風量、静圧、軸動力など）も容易に推定できる。
【００４０】
図５に示した特性Ｉにおいて、給気ファン５および還気ファン３の直列運転時の運転点がＢ点であれば、給気ファン５のみの単独運転が可能で、その単独運転時の運転点は特性ＩにおけるＡ点となり、直列運転時と同様の風量を供給することができる。この場合、給気ファン５のみの単独運転では、システム抵抗が図６に示すように変化する。このように、ファンの特性が既知であれば、どのような条件の時を単独運転／連動運転の切替ポイントとするかを事前に決定し、設定することが可能である。
【００４１】
〔実施の形態２〕
図１に示した給気ファン５と還気ファン３との連動運転の状態では、再循環空気が還気ファン３に押し込まれて流れるために、還気ＲＡは流れ易く、外気ＯＡが取り入れにくい傾向がある。これに対して、図２に示した給気ファン５のみの単独運転の状態では、還気ファン３の装置抵抗が圧力損失を招き、また室内（≒大気圧）から空調機１の入口に至る還気経路が長いために、還気ＲＡが流れにくくなり、外気ＯＡが取り入れ易くなる。また、図２に示した給気ファン５のみの単独運転の状態では、還気ファン３の出口が負圧となるため、排気ダンパ１２からの逆流が生じる。
【００４２】
このため、実施の形態１では、給気ファン５のみの単独運転とすると、図７に示すように、排気ダンパ１２からの逆流が生じ、還気ＲＡが減少し、外気ＯＡが増加する。そこで、実施の形態２では、このエアバランスの悪化に対して、排気ダンパ１２を全閉へ、還気ダンパ１３を開方向へ、外気ダンパ１１を閉方向へ制御することによって対処する。この場合の外気ダンパ１１，排気ダンパ１２および還気ダンパ１３の制御例を図８に示す。なお、図８では、実施の形態１の制御装置４Ａと区別するために、制御装置を符号４Ｂで示している。
【００４３】
例えば、給気ファン５および還気ファン３の連動運転の状態において、外気ダンパ１１および排気ダンパ１２の開度が３０％、還気ダンパ１３の開度が７０％であったとする。このような状態から、給気ファン５のみの単独運転とする場合、制御装置４Ｂは、排気ダンパ１２の開度を０％とし、外気ダンパ１１をより絞り気味に、還気ダンパ１３をより開き気味にする。例えば、外気ダンパ１１の開度を１５％とし、還気ダンパ１３の開度を１００％とする。これにより、排気ダンパ１２からの逆流が生じず、還気ＲＡが流れ易くなり、外気ＯＡが取り入れにくくなり、エアバランスの悪化が是正される。
【００４４】
〔実施の形態３〕
実施の形態２において、要求風量が５０％以下の低風量運転時、還気ファン３の運転を停止すると、還気ファン３自体が空気流路となるために、還気ファン３の装置抵抗が圧力損失を招き、還気ＲＡが流れにくくなる。
【００４５】
そこで、実施の形態３では、図９に示すように、還気ファン３をバイパスするバイパス通路１５を設け、このバイパス通路１５にバイパスダンパ１６を設け、給気ファン３のみの単独運転とされた場合、制御装置４Ｃからの指令によって、バイパスダンパ１６を開き、還気ファン３を通過する空気をバイパス通路１５に迂回させるようにする。これにより、還気ファン３での圧力損失がなくなり、還気ＲＡが流れ易くなる。
【００４６】
なお、図９は実施の形態２（図８）への適用例として示したが、実施の形態１（図２）においても、バイパス通路１５およびバイパスダンパ１６を設け、同様の制御を行うようにしてもよい。
【００４７】
〔実施の形態４〕
実施の形態３において、要求風量が５０％以下の低風量運転時、還気ファン３の運転を停止すると、被空調空間２におけるエアバランスが悪化することがある。例えば、被空調空間２における室圧が上昇したり、ＣＯ2 濃度が上昇したりすることがある。
【００４８】
このエアバランスの悪化について説明する。実施の形態３において、要求風量が５０％以下の低風量運転時、排気ダンパ１２の開度が０％（全閉）とされると、排気風量がゼロとなる。一方、空調では外気取り入れにより換気が必要なので、一定量の外気ＯＡを取り入れる。外気を取り入れた分は、室内の別ルートから屋外や周辺エリアに排気されることになる。なお、給気と還気との差によって生じる室外へのリーク風量は余剰排気量と呼ばれる。
【００４９】
一般に、空調では給気量を増やし、余剰排気を見込むことで、室への周辺空気の流入を防いでいる。例えば、ビルやデパートの入口で外向きに強風が流れていることがある。しかし、この余剰排気が極端に多くなってしまうと、空調エネルギーを外に捨てるというエネルギーロスになったり、室圧が上昇し、ドアが開きにくくなるなどの問題が生じる。
【００５０】
また、実施の形態３において、給気ファン５のみの単独運転によって被空調空間２への給気風量を絞ると、被空調空間２における換気量が不足する。この換気量の不足により、室内の空気質が悪化する。例えば、室内のＣＯ2 濃度が上昇する。
【００５１】
そこで、実施の形態４では、図１０に示すように、被空調空間２に室圧センサ１７とＣＯ2 センサ１８を設け、室圧センサ１７によって検出される被空調空間２内の室圧およびＣＯ2 センサ１８によって検出される被空調空間２内のＣＯ2 濃度を制御装置４Ｄでモニタする。そして、制御装置４Ｄにおいて、被空調空間２内の室圧やＣＯ2 濃度が許容値を超えたことを確認すると、警報を出力する。また、その時、給気ファン５のみの単独運転であれば、給気ファン４と還気ファン３との連動運転に戻す。
【００５２】
なお、この例では、被空調空間２内の空気質としてＣＯ2 濃度を検出するようにしたが、検出する空気質はＣＯ2 濃度に限られるものではない。また、被空調空間２内の室圧のみをモニタするようにしてもよく、被空調空間２内の空気質のみをモニタするようにしてもよい。
【００５３】
また、被空調空間２内の室圧やＣＯ2 濃度が許容値を超えたことを確認した場合、警報を出力するのみとしたり、給気ファン４と還気ファン３との連動運転に戻すのみとしたりしてもよい。。
【００５４】
また、図１０は実施の形態３（図９）への適用例として示したが、実施の形態１（図２）や実施の形態２（図７）においても同様にして、被空調空間２内の室圧や空気質をモニタするようにしてもよい。
【００５５】
〔実施の形態５〕
また、上述した実施の形態１〜４では、空調機１からの給気ＳＡを被空調空間２にダイレクトに給気するシステム構成としたが、室内側の給気ダクトの末端に複数の可変風量制御装置（ＶＡＶ（Variable Air Volume Unit））を設けたシステム構成（ＶＡＶ空調制御システム）としてもよい。
【００５６】
図１１にＶＡＶ空調制御システムへの適用例を示す。ＶＡＶ制御システムでは、室内側の給気ダクトの末端に複数のＶＡＶ１９が設けられる。このＶＡＶ１９は被空調空間２を分割する細かいゾーン毎に取り付けられる。各ＶＡＶ１９は、各ゾーンの室内温度に応じて、そこへの給気風量（ＶＡＶ風量）を増減する。各ＶＡＶ１９におけるＶＡＶ風量および温度制御状態は制御装置４Ｅへ送られる。
【００５７】
制御装置４Ｅは、各ＶＡＶ風量の過不足状態から、給気ファン５および還気ファン３の回転数を増減する。例えば、風量不足の時にファン回転数を増やし、風量過剰の時にはファン回転数を減らす。また、各ゾーンの温度制御状態から、給気温度設定を増減する。例えば、冷房能力が不足であれば給気温度を下げ、冷房能力が過剰であれば給気温度を上げる。
【００５８】
このようなＶＡＶ制御システムにおいて、制御装置４Ｅは、各ＶＡＶからの要求風量を合計し、トータル要求風量を求め、このトータル風量が例えば５０％以下となった場合、還気ファン３の運転を停止し、給気ファン５のみの単独運転とする。また、バイパスダンパ１６を開くとともに、外気ダンパ１１の開度を１５％、排気ダンパ１２の開度を０％、還気ダンパ１３の開度を１００％とする。
【図面の簡単な説明】
【００５９】
【図１】本発明に係る空調制御方法の実施に用いる空調制御システムの一例（実施の形態１）を示す計装図である。
【図２】この空調制御システムにおいて被空調空間への要求風量が５０％以下となった場合の給気ファンのみの単独運転状況を示す図である。
【図３】この空調制御システムにおける制御装置が実行する特有の処理動作を示すフローチャートである。
【図４】このフローチャートに従う給気ファンと還気ファンの回転数制御の一例を示す図である。
【図５】給気ファンと還気ファンとの連動運転時のファン特性を単独運転時のファン特性と比較して示す図である。
【図６】給気ファンのみの単独運転時のシステム抵抗の変化を示す図である。
【図７】実施の形態１において給気ファンのみの単独運転とした場合のエアバランスの悪化を説明する図である。
【図８】エアバランスの悪化を是正するための外気ダンパ，排気ダンパおよび還気ダンパの制御例（実施の形態２）を示す図である。
【図９】還気ファンをバイパスするバイパス通路を設けた例（実施の形態３）を示す図である。
【図１０】被空調空間に室圧センサやＣＯ2 センサを設けた例（実施の形態４）を示す図である。
【図１１】ＶＡＶ空調制御システムへの適用例（実施の形態５）を示す図である。
【図１２】給気ファンと還気ファンを用いた空調制御システムの代表的な構成例（従来例）を示す図である。
【図１３】従来の給気ファンと還気ファンの回転数制御の一例を示す図である。
【符号の説明】
【００６０】
１…空調機、２…被空調空間、３…還気ファン、４Ａ〜４Ｅ…制御装置、５…給気ファン、６…温水オイル、７…冷水コイル、８…温水バルブ、９…冷水バルブ、１０…温度センサ、１１…外気ダンパ、１２…排気ダンパ、１３…還気ダンパ、１４…給気温度センサ、１５…バイパス通路、１６…バイパスダンパ、１７…室圧センサ、１８…ＣＯ2 センサ、１９…可変風量制御装置（ＶＡＶ）、Ｌ１…取入通路、Ｌ２…供給通路、Ｌ３…排出通路、Ｌ４…還流通路、Ｌ５…排出通路、ＯＡ…外気、ＳＡ…給気、ＲＡ…還気、ＥＸ…排気。
【図１】
2010091180.tif 000003
【図２】
2010091180.tif 000004
【図３】
2010091180.tif 000005
【図４】
2010091180.tif 000006
【図５】
2010091180.tif 000007
【図６】
2010091180.tif 000008
【図７】
2010091180.tif 000009
【図８】
2010091180.tif 000010
【図９】
2010091180.tif 000011
【図１０】
2010091180.tif 000012
【図１１】
2010091180.tif 000013
【図１２】
2010091180.tif 000014
【図１３】
2010091180.tif 000015